(57)【要約】  【課題】  加盟店が登録会員に対してテナント店の広告商品を積極的に宣伝及び販売することによって、テナント店の広告商品の売上げを増大させることができる携帯電話の電子メールを活用した広告方法を提供する。  【解決手段】  本部と、広告スポンサーであるテナント店と、該テナント店とアフィリエイト契約した加盟店と、登録会員との間で行われる携帯電話を活用した広告方法であって、本部に登録したテナント店が宣伝広告する商品を携帯電話で閲覧できるホームページ（１）と、加盟店がテナント店の宣伝広告する商品の中から選択した商品を販売するホームページ（２）と、登録会員が所属する加盟店の選択した商品を閲覧し、購入することができるホームページ（３）とを有し、登録会員が所属する加盟店の選択した商品を購入すると加盟店にはテナント店から売上手数料が入る。  【選択図】図３
2006018460.tif 000002
【特許請求の範囲】
【請求項１】
本部と、広告スポンサーであるテナント店と、該テナント店とアフィリエイト契約した加盟店と、登録会員との間で行われる携帯電話を活用した広告方法であって、本部に登録したテナント店が宣伝広告する商品を携帯電話で閲覧できるホームページと、加盟店がテナント店の宣伝広告する商品の中から選択した商品を販売するホームページと、登録会員が所属する加盟店の選択した商品を閲覧し、購入することができるホームページとを有し、登録会員が所属する加盟店の選択した商品を購入すると加盟店にはテナント店から売上手数料が入ることを特徴とする携帯電話を活用した広告方法。
【請求項２】
各加盟店は、テナント店の宣伝広告する商品の中から選択した商品情報が添付されたオプトインメールが配下の登録会員に配信されると、配信件数に応じて商品交換可能なポイントが加盟店に付与されることを特徴とする請求項１に記載の携帯電話を活用した広告方法。
【請求項３】
各加盟店は、テナント店の宣伝広告する商品の中から選択した商品情報が添付されたオプトインメールが別の加盟店の配下の登録会員に配信されると、配信件数に応じて商品交換可能なポイントが前記別の加盟店に付与されることを特徴とする請求項１に記載の携帯電話を活用した広告方法。
【請求項４】
各加盟店は、テナント店の宣伝広告する商品の中から選択した商品情報が添付されたオプトインメールを別の加盟店の配下の登録会員に配信し、該登録会員が該選択された商品を購入した場合には前記各加盟店にテナント店から売上手数料が入ることを特徴とする請求項３に記載の携帯電話を活用した広告方法。
【発明の詳細な説明】
【技術分野】
【０００１】
本発明は、携帯電話の電子メールとホームページとを活用してテナント店の商品の宣伝広告を行い、この宣伝広告を見たものに対してテナント店で販売する商品等を購入するためのポイントを付与するビジネスモデルに関するものである。
【背景技術】
【０００２】
従来より、パソコン、ＰＤＡ端末、携帯電話等の通信機器へ、インターネットの電子メールを介してバナー広告を行い、その電子メールを受信してバナー広告を閲覧した者に対して、その電子メール料金を無料にすることは行われている（例えば、特許文献１参照。）。
【特許文献１】特開２００１−２７３２０４号公報
【発明の開示】
【発明が解決しようとする課題】
【０００３】
しかしながら上記発明では電子メールの料金が無料になるだけでその他に何らの特典もないため、バナー広告を閲覧する者の数に広がりがなく、電子メールを受信した者が、そのメールを知人に転送する割合も低いものであった。
【０００４】
そこで、本願発明者は特願２００３−０３４５５５に記載の携帯電話の電子メールを利用した広告方法の発明をした。この発明は、本部に登録したテナント店の宣伝広告を携帯電話で閲覧できるようにするステップと、加盟店が新たな登録会員を集めるステップと、登録会員が新たな登録会員を集めるステップと、本部から加盟店又は登録会員の各々に自身及び配下の登録会員の宣伝広告閲覧件数に応じたポイントが与えられ、蓄積されるステップとを有するものであって、加盟店又は登録会員が蓄積されたポイントによってテナント店の商品を購入することができるというものである。
【０００５】
上記発明により、従来の電子メールを利用した宣伝広告と比較して広告閲覧件数を増加させることができ、テナント店の広告商品の売上増大に貢献することができるものとなった。
【０００６】
しかしながら、さらにテナント店の広告商品の売上げを伸ばすためには加盟店の協力が必要であり、加盟店が積極的にテナント店の広告商品を宣伝し、販売するようになる方策が必要であった。
【０００７】
本発明は上記点に鑑み、加盟店が登録会員に対してテナント店の広告商品を積極的に宣伝及び販売することによって、テナント店の広告商品の売上げを増大させることができる携帯電話の電子メールを活用した広告方法を提供することを目的とする。
【課題を解決するための手段】
【０００８】
請求項１の携帯電話を活用した広告方法の発明では、本部と、広告スポンサーであるテナント店と、該テナント店とアフィリエイト契約した加盟店と、登録会員との間で行われる携帯電話を活用した広告方法であって、本部に登録したテナント店が宣伝広告する商品を携帯電話で閲覧できるホームページと、加盟店がテナント店の宣伝広告する商品の中から選択した商品を販売するホームページと、登録会員が所属する加盟店の選択した商品を閲覧し、購入することができるホームページとを有し、登録会員が所属する加盟店の選択した商品を購入すると加盟店にはテナント店から売上手数料が入ることに特徴を有する。
【０００９】
請求項２の発明では請求項１の発明において、各加盟店は、テナント店の宣伝広告する商品の中から選択した商品情報が添付されたオプトインメールが配下の登録会員に配信されると、配信件数に応じて商品交換可能なポイントが加盟店に付与されることに特徴を有する。
【００１０】
請求項３の発明では請求項１の発明において、各加盟店は、テナント店の宣伝広告する商品の中から選択した商品情報が添付されたオプトインメールが別の加盟店の配下の登録会員に配信されると、配信件数に応じて商品交換可能なポイントが前記別の加盟店に付与されることに特徴を有する。
【００１１】
請求項４の発明では請求項３の発明において、各加盟店は、テナント店の宣伝広告する商品の中から選択した商品情報が添付されたオプトインメールを別の加盟店の配下の登録会員に配信し、該登録会員が該選択された商品を購入した場合には前記各加盟店にテナント店から売上手数料が入ることに特徴を有する。
【発明の効果】
【００１２】
請求項１の携帯電話を活用した広告方法の発明では、本部と、広告スポンサーであるテナント店と、該テナント店とアフィリエイト契約した加盟店と、登録会員との間で行われる携帯電話を活用した広告方法であって、本部に登録したテナント店が宣伝広告する商品を携帯電話で閲覧できるホームページと、加盟店がテナント店の宣伝広告する商品の中から選択した商品を販売するホームページと、登録会員が所属する加盟店の選択した商品を閲覧し、購入することができるホームページとを有し、登録会員が所属する加盟店の選択した商品を購入すると加盟店にはテナント店から売上手数料が入ることに特徴を有するので、加盟店がテナント店の商品を販売する販売店となって、配下の会員に商品情報を紹介するので、テナント店にとっては売上増大が期待できる。また、加盟店にとっては紹介した商品を登録会員が購入すれば売上手数料収入が入るので、できるだけ人気の出そうな良い商品を紹介しようと努める。さらに、テナント店も加盟店に選択される良い商品を供給することに努めることとなる。
【００１３】
請求項２の発明では請求項１の発明において、各加盟店は、テナント店の宣伝広告する商品の中から選択した商品情報が添付されたオプトインメールが配下の登録会員に配信されると、配信件数に応じて商品交換可能なポイントが加盟店に付与されることに特徴を有するので、各加盟店はホームページで商品を紹介するのに加えてさらに積極的に商品を販売することに努めるため、テナント店にとっては売上増大が期待できる。
【００１４】
請求項３の発明では請求項１の発明において、各加盟店は、テナント店の宣伝広告する商品の中から選択した商品情報が添付されたオプトインメールが別の加盟店の配下の登録会員に配信されると、配信件数に応じて商品交換可能なポイントが前記別の加盟店に付与されることに特徴を有するので、オプトインメールを配信する加盟店とは別の加盟店は配下の登録会員にメールが送られれば自らのポイントが増大するため、配下の登録会員を増やそうと努力することが期待される。
【００１５】
請求項４の発明では請求項３の発明において、各加盟店は、テナント店の宣伝広告する商品の中から選択した商品情報が添付されたオプトインメールを別の加盟店の配下の登録会員に配信し、該登録会員が該選択された商品を購入した場合には前記各加盟店にテナント店から売上手数料が入ることに特徴を有するので、各加盟店は配下の登録会員以外の登録会員にも積極的にメールを配信しようとするので、商品の販売を拡大することができる。
【発明を実施するための最良の形態】
【００１６】
次に、本発明の実施形態を図面に基づいて説明する。はじめに、本発明の基本的な実施形態は従来と同様であり、詳しくは特願２００３−０３４５５５に記載されているが、図１及び図２を用いて簡単に説明しておく。図１は本発明に係る携帯電話を活用した広告方法のシステム構成を示す概念図である。この図に示すように、本システムは本部１と、テナント店２と、加盟店３と、登録会員４とから構成されるものである。
【００１７】
そして、先ず、本部１は宣伝広告を配信したいテナント店２と、宣伝広告を受信する加盟店３を集めることから始まる。また、テナント店２には宣伝広告したい内容を記録したデータを文字やデジタルカメラ等による写真や、動画等で作成してもらい、出来上がったデータを本部１のサーバへと送信するのである。
【００１８】
一方、加盟店３には専用のホームページを開設させることによって、同ホームページを運営するための加盟店専用のＵＲＬが本部１より付与されることとなる。また、加盟店３には登録会員４が入会する時に受け付けるための入会受付専用のメールアドレスが本部より付与されることとなる。そして、所定の数のテナント店２と加盟店３が集った時点で、本部１は紹介用の電子メールを加盟店３の携帯電話へと配信するのである。次に、紹介用の電子メールを受信した加盟店３は、知人のメールアドレスに転送するのである。そして、電子メールを受け取った知人が登録手続きを行うことによって、登録会員４となるのである。
【００１９】
次に、図２を用いて本発明の広告方法における基本的なポイントシステムについて説明する。先ず、ポイントとは加盟店又は登録会員が本部から送信されてきた電子メールに添付されたテナント店の広告を受信した場合にその都度、加盟店又は登録会員に与えられる点数のことである。そして、このポイントが蓄積されるとテナント店において、ポイントに対応する商品と交換することができるのである。
【００２０】
そして、このポイントは、加盟店又は登録会員自身が広告を閲覧した場合に限られず、加盟店又は登録会員の紹介した登録会員と、その登録会員が紹介した登録会員と、さらにその登録会員が紹介した登録会員と・・・というように、配下の登録会員（例えば、登録会員Ａの場合には図の斜線で示した登録会員全部）が受信した広告についても所定の比率でポイントに換算されるのである。
【００２１】
したがって、加盟店又は登録会員は新規の登録会員を紹介すればする程、自身に与えられるポイントが増加していくことになるので、積極的に新規の登録会員を集めようと努力するようになるのである。
【００２２】
これは、テナント店にとってみれば自社の宣伝広告を受信する人の数が増加することになるわけであり、その広告を閲覧して興味を抱いた人が、買い物に来てくれれば売上増加につながるのである。また、本部にとってみればテナント店から、宣伝広告を受信した人の数に応じて広告料金を徴収しているので、広告収入が増加し、この広告収入の一部をポイントとして加盟店又は登録会員に与えることができるのである。そして、登録会員がポイントによってテナント店で商品を購入した場合には、そのポイントに対応する現金をテナント店は本部から徴収することができるのである。
【００２３】
したがって、上述したポイントとは地域貨幣の機能を持ち合わせたものということができる。
【００２４】
本発明における携帯電話を活用した広告方法は図１及び図２を用いて説明した上述の機能を既に持ち合わせているものであり、これに加えて以下の機能が付加されたものである
。
【００２５】
図３の（１）〜（３）は携帯電話の各ホームページ画面であり、この図を用いて本発明の第1の実施形態を説明する。図３の（１）は、テナント店のホームページを示している。また、（２）は、加盟店のホームページを示している。さらに、（３）は会員閲覧用のホームページを示している。これらの各ホームページは本部のサーバによって管理されているものである。
【００２６】
まず、テナント店とアフィリエイト契約をした加盟店は、テナント店がホームページ（１）上で販売している商品の中から自ら商品を選択して加盟店のホームページ（２）で、例えば特選商品のコーナーを設けたとすると、この加盟店のホームページ（２）で直接、特選商品を販売することができるようになる。
【００２７】
一方、加盟店の配下の会員が閲覧するホームページ（３）には、加盟店のホームページ（２）の特選商品のコーナーに選択された商品と全く同じ商品が表示される。そして、配下の会員が閲覧するホームページ（３）で、この商品の購入をすることができるのである。
【００２８】
さらに、加盟店はオプトインメール（メールを受信する相手が予め承諾しているメール）を直接、配下の会員に配信することによって、上記選択された商品を販売することができる。即ち、配下の会員はこのオプトインメールから、加盟店のホームページ（２）に入り、加盟店によって選択された商品を購入することができるのである。
【００２９】
次に、図４を用いて商品の購入による売上手数料とポイントの流れを説明する。前述したとおり、加盟店のホームページ上に選択された商品と同じ商品が会員閲覧用のホームページに表示される。ここで、加盟店は選択された商品を販売するためのオプトインメールを直接、配下の会員に配信することもできるが、加盟店が配下の会員へオプトインメールを配信すると、配信件数に所定のポイント数を掛けたポイントが加盟店に付与されるのである。
【００３０】
一方、加盟店のホームページに掲載された商品を配下の会員が購入すると、アフィリエイト契約に従って、テナント店から所定の売上手数料が加盟店に入ることになるのである。
【００３１】
次に、図５を用いて本発明の第２の実施形態について説明する。通常、オプトインメールは、加盟店が配下の会員に配信することによって、配信した件数に応じて本部からポイントが付与されるものであり、オプトインメールを受け取った会員は自分の紹介した会員にオプトインメールを配信することによって、配信した件数に応じて本部からポイントが付与されるものである。しかし、本発明の第２の実施形態においては加盟店が自分の配下の会員ではない他の加盟店の配下の会員にオプトインメールを配信することを可能にしている。
【００３２】
つまり、図５において、Ａ加盟店がＢ加盟店の配下の会員にオプトインメールを配信することを可能にしたわけである。これによって、Ｂ加盟店の配下の会員がＡ加盟店から配信されたオプトインメールを見て商品を購入した場合にはＡ加盟店にアフィリエイト契約に従って、テナント店から所定の売上手数料が入ることになるのである。
【００３３】
一方、Ａ加盟店に配下の会員のメールアドレスを提供したＢ加盟店にはＡ加盟店から配信されたオプトインメールの数に対応したポイントが本部より付与されるのである。
【００３４】
したがって、複数の加盟店が存在する場合には、各加盟店は、他の加盟店が自分の配下の会員にオプトインメールを直接配信してくれれば、その数に対応して、自身のポイントが増大することになるのである。尚、各加盟店及び登録会員のメールアドレスは本部のサーバが管理しており通常は知ることができないようになっている。したがって、加盟店が自分の配下の会員よりも多い数のオプトインメールの配信を希望した場合には、本部のサーバが任意又は登録会員へのアンケート結果に基づいて、他の加盟店の登録会員を抽出し、オプトインメールの配信が行われるのである。
【００３５】
一方、他の加盟店にとっては、自分の配下の会員が加盟店のホームページを見てテナント店の商品を購入しただけでは多くの売上手数料を期待することができない場合に、配下の会員のみならず、このシステムに参加する全ての会員にオプトインメールを配信することも可能となる。したがって、このオプトインメールを見てテナント店の商品を購入する会員が増えれば、加盟店の売上手数料が増大すると共に、テナント店にとっては商品の売上が増大することとなるから、テナント店は各加盟店に選択される良い商品を提供するように努めることとなるのである。
【００３６】
尚、本発明の趣旨を逸脱しない範囲において、種々の実施形態をとることができることは言うまでもない。例えば、上記発明では携帯電話の有するメールの送受信機能と、ホームページ機能を利用しているが、携帯電話をパーソナルコンピュータに置き換えても、上記発明を実施することができることは言うまでもない。
【図面の簡単な説明】
【００３７】
【図１】本発明の基本的なシステム構成を示す概念図である。
【図２】ポイントシステムについての説明図である。
【図３】携帯電話のホームページ画面を示す説明図である。
【図４】携帯電話のホームページ画面を示す説明図である。
【図５】携帯電話のホームページ画面を示す説明図である。
【符号の説明】
【００３８】
１  本部
２  テナント店
３  加盟店
４  登録会員
【図１】
2006018460.tif 000003
【図２】
2006018460.tif 000004
【図３】
2006018460.tif 000005
【図４】
2006018460.tif 000006
【図５】
2006018460.tif 000007